(57)【特許請求の範囲】
【請求項１】
第１無線通信システムおよび第２無線通信システムに応答することが可能な遠隔通信装置において、前記遠隔通信装置を登録する方法であって、当該方法は：
前記第１無線通信システムから時間遅延パラメータを受信する段階であって、該時間遅延パラメータは前記第１無線通信システムと通信している遠隔通信装置の数の関数である、段階；
前記時間遅延パラメータを格納する段階；
前記第２無線通信システムからの伝送内容を受信するために再同調する段階；および
前記時間遅延パラメータに基づき、前記第２無線通信システムにアクセスする時間を決定する段階であって、前記第１無線通信システムに関連する情報が前記遠隔通信装置が再同調の後に前記第２無線通信システムにアクセスする時間を決定するために使用される、段階；
を具備することを特徴とする方法。
【請求項２】
前記遠隔通信装置が移動無線電話機より成ることを特徴とする請求項１記載の方法。
【請求項３】
前記第１無線通信システムが符号分割多重アクセス(CDMA)通信システムより成ることを特徴とする請求項１記載の方法。
【請求項４】
前記第２無線通信システムがアナログ通信システムより成ることを特徴とする請求項３記載の方法。
【請求項５】
前記時間遅延パラメータが順方向制御チャネルで受信されることを特徴とする請求項１記載の方法。
【請求項６】
前記時間遅延パラメータの値が２４８秒以下であることを特徴とする請求項１記載の方法。
【請求項７】
前記時間遅延パラメータが、前記第１無線通信システムと通信する遠隔通信装置の数に基づくものであることを特徴とする請求項１記載の方法。
【請求項８】
前記第２無線通信システムにアクセスする前記段階に先立って、前記第１無線通信システムとの通信が行われなくなる段階をさらに具備することを特徴とする請求項１記載の方法。
【請求項９】
前記第１無線通信システムとの通信が行われなくなる前記段階が、前記第１無線通信システムから、前記第１無線通信システムが通信を継続することができないことを示すメッセージを受信する段階より成ることを特徴とする請求項８記載の方法。
【請求項１０】
複数の遠隔通信装置を登録する方法であって、当該方法は少なくとも１つのプロセッサにロードされる命令セットにより実行され、前記命令セットはコンピュータで読取可能な媒体に格納され、当該方法は：
第１無線通信システムと通信を行う複数の遠隔通信装置の数を調べる段階；
前記遠隔通信装置の数に基づいて時間遅延パラメータを求める段階であって、該時間遅延パラメータは前記第１無線通信システムと通信している遠隔通信装置の数の関数である、段階；
前記時間遅延パラメータを前記複数の遠隔通信装置中の少なくともいくつかに送信する段階であって、前記時間遅延パラメータは前記複数の遠隔通信装置中の前記少なくともいくつかの内の各遠隔通信装置によって使用されて、第２無線通信システムからの伝送内容を受信するために再同調した後に前記第２無線通信システムにアクセスする時間を決定する、段階；および
前記時間遅延パラメータおよび前記第１無線通信システムの状態に基づいて、前記複数の遠隔通信装置中の前記少なくともいくつかを、前記第２無線通信システムに登録する段階；
を具備することを特徴とする方法。
【発明の詳細な説明】
【０００１】
【発明の属する技術分野】
本発明は一般に無線通信システムに関し、特に、そのような無線通信システム内の遠隔装置を登録することに関する。
【０００２】
【従来の技術および発明が解決しようとする課題】
本願は、１９９７年７月１４日に出願された"Method and Apparatus for Registering a Remote Unit in a Communication System"と題する米国出願番号６０/０５２,３８６に関連するものである。
【０００３】
無線通信システムでは、様々な手法により（セルラ加入者のような）遠隔装置がその通信システムに登録される。特に、ある通信システムに遠隔装置が最初にアクセスする場合、遠隔装置は反転制御チャネル（reverse control channel）を利用して登録メッセージを伝送する。この登録メッセージは、遠隔装置の電子連続番号（ESN: electronic serial number）を含み、遠隔装置の位置をインフラストラクチャ設備に知らせるために使用される。
【０００４】
遠隔装置の登録には反転制御チャネル上で伝送されるメッセージを必要とするので、複数の遠隔装置が同時に登録しようとすると通信システムの反転制御チャネルは容易に過負荷（overload）となってしまうという問題が懸念される。たとえば、セルの休止期間の間、そのセルと通信していた複数の遠隔装置はある通信システムへの登録を同時に試みるであろうが、このことは反転制御チャネルを過負荷にするおそれがある。
【０００５】
したがって、そのような問題を克服する、通信システム内の遠隔装置を登録する方法および装置が望まれている。
【０００６】
【課題を解決するための手段】
上述の問題は、遠隔通信装置を利用して実行される手法により解決される。この遠隔通信装置は、第１無線通信システムおよび第２無線通信システムに応答することが可能である。本方法は、第１無線通信システムから時間遅延パラメータを受信し、時間遅延パラメータを格納し、この時間遅延パラメータに基づいて第２無線通信システムにアクセスするものである。
【０００７】
本発明の一態様によれば、第１無線通信システムおよび第２無線通信システムに応答することが可能な遠隔通信装置は、第１無線通信システムから時間遅延パラメータを受信する手段と、時間遅延パラメータを格納する手段と、時間遅延パラメータに基づいて第２無線通信システムにアクセスする手段とを備える。
【０００８】
本発明の更なる態様は、第１無線通信システムに付随する第１ネットワーク要素を利用する方法である。この第１無線通信システムは、複数の遠隔通信装置に応答することが可能であり、第２無線通信装置に応答することも可能である。この方法では、第１無線通信システムと通信する複数の遠隔通信装置数を調べ、この数に基づいて時間を表わす時間遅延パラメータを求め、時間遅延パラメータを複数の遠隔通信装置中の少なくともいくつかのものに送信する。
【０００９】
本発明の更なる態様にあっては、命令セットがコンピュータで読取可能な媒体に格納され、少なくとも１つのプロセッサにロードされると複数の遠隔通信装置を登録する方法を実行する。この方法は、第１無線通信システムと通信を行う複数の遠隔通信装置数を調べ、遠隔通信装置数に基づいて時間を表わす時間遅延パラメータを求め、時間遅延パラメータを複数の遠隔通信装置中の少なくともいくつかに送信し、時間遅延パラメータおよび第１無線通信システムの状態に基づいて複数の遠隔通信装置中の少なくともいくつかを第２無線通信システムに登録する。
【００１０】
【発明の実施の形態】
図１は本発明の好適実施例による複数の無線通信システムを示す。本発明の好適実施例にあっては、複数の通信システムは複数のネットワーク要素を備え、２つのシステム・プロトコルを利用する。ネットワーク要素のうちの一方は、第１通信システムプロトコルを利用する第１通信システム（すなわち、基地局１１１、CBSC １０３およびMSC １０１）であり、他方は第２通信システムプロトコルを利用する第２通信システム（すなわち、基地局１０９、CBSC １０７およびMSC １０５）である。各ネットワーク要素はMotorola Inc.のような様々なソースから入手することが可能であり、これらの要素は特にプロセッサ１２９、メモリ１２７およびコンピュータによる読み取りが可能な命令セット１２５を備える（以下、更に説明する。）。
【００１１】
遠隔通信装置１１３,１１４はデュアルモード遠隔装置であり、両者の通信システムプロトコルを利用して通信することが可能であり、特にこれらの遠隔装置はプロセッサ、メモリおよび命令セットを有する。図示されているように、遠隔通信装置１１３,１１４は、アップリンク通信信号１１９を利用して基地局１１１と通信を行い、基地局１１１はダウンリンク通信信号１１７を利用して遠隔装置１１３,１１４と通信を行う。本発明の好適実施例にあっては、基地局１０９,１１１がCBSC １０７,１０３に夫々適切に結合され、CBSC １０７,１０３はMSC １０５,１０１に夫々適切に結合される。
【００１２】
上述したように、基地局１１１、CBSC １０３およびMSC １０１は第１通信システム・プロトコルを利用し、本発明の好適実施例にあってはこのプロトコルは符号分割多重アクセス（CDMA）システム・プロトコルである。CDMAプロトコルに関しては、電子工業協会／電話通信工業協会暫定規格９５（TIA/EIA/IS-９５）に述べられている。（TIA/EIAはワシントンDC２０００６ノース・ウエスト、ペンシルバニア・アベニュー２００１にて連絡可能である。）しかしながら、本発明の他の実施例にあっては、基地局１１１、CBSC １０３およびMSC １０１が他のアナログまたはディジタル・セルラ通信システム・プロトコルを採用することも可能であり、そのプロトコルには、狭帯域上級移動電話サービス（NAMPS: Narrow-band Advanced Mobile Phone Service）プロトコル、移動通信用グローバル・システム（GSM）プロトコル、パーソナル・ディジタル・セルラ（PDC）プロトコルおよび合衆国ディジタル・セルラ（USDC: United States Digital Cellular）プロトコル等があるが、これらに限定されない。さらに、基地局１０９、CBSC １０７およびMSC １０５は、第２通信システムプロトコルを利用し、本発明の好適実施例にあってはAMPSシステム・プロトコルである。しかしながら本発明の他の実施例にあっては、基地局１０９、CBSC １０７およびMSC １０５は上述したような通信システム・プロトコルを採用することも可能である。
【００１３】
本発明の好適実施例による通信システムの動作は以下のようにして行われる：基地局１１１は、最大時間遅延（MAX_OUTAGE_DELAY）のような時間遅延パラメータを、基地局１１１と通信する総ての遠隔装置に送信する。本発明の好適実施例にあっては、MAX_OUTAGE_DELAYはCDMAページング・チャネル上のオーバーヘッド・メッセージによる無線放送（broadcast）である。図２、図３に関連して説明されるように、本発明の好適実施例にあってはMAX_OUTAGE_DELAYは、基地局１１１により計算され、基地局１１１と通信する遠隔装置数の関数である。セル休止期間の間（たとえば基地局１１１の故障）、その休止に至る直前に基地局１１１と通信していた総ての遠隔装置は、反転制御チャネル上で伝送される登録メッセージを利用して基地局１０９にアクセスしようとするであろう。ただし、従来の登録方法によるものとは異なり、これらの遠隔装置は、ランダムな期間（０とMAX_OUTAGE_DELAYとの間）が経過するまで基地局１０９への登録メッセージの送信を遅らせる。特に、図１における遠隔装置１１３は休止期間タイマ１１５を利用して、０とMAX_OUTAGE_DELAYとの間の第１ランダム期間を計算する。遠隔装置１１４も休止期間タイマ１１５を利用して、０とMAX_OUTAGE_DELAYとの間の第２ランダム期間を計算する。第１ランダム期間の経過後、遠隔装置１１３は登録メッセージを介して基地局１０９にアクセスを試みる。第２ランダム期間の経過後、遠隔装置１１４も登録メッセージを介して基地局１０９にアクセスを試みる。
【００１４】
セルが休止した後に各遠隔装置は基地局１０９に同時に登録しようとしないので、反転制御チャネルが過負荷となってしまう危険性は大幅に減少する。
【００１５】
図２は図１に示す遠隔装置を登録する本実施例によるフローチャートを示す。フローはステップ２０１から始まり、遠隔装置１１３および遠隔装置１１４は第１ネットワーク要素（例えば基地局１１１）と通信を行っている。本発明の好適実施例にあっては、遠隔装置１１３,１１４は、トラフィック・チャネルを利用して基地局１１１と通信を行うことが可能であり、または、アイドル状態（idle stateにおいて単に制御チャネルを監視することも可能である。次に、ステップ２０５において、基地局１１１はMAX_OUTAGE_DELAYを計算する。上述したように本発明の好適実施例にあっては、MAX_OUTAGE_DELAYは図１に示すような通信システムによりサービスが提供されている遠隔装置数の関数である。しかしながら、本発明の他の実施例にあっては、MAX_OUTAGE_DELAYを基地局１１１内でシステム・オペレータによりプログラムされる一定値とすることも可能であり、または他のシステム・パラメータの関数とすることも可能である。（他のパラメータとしては、例えば、セル内のキャリア数、キャリア当たりの実効トラフィックチャネル数、サービスの設備能力（engineered grade of service）、および加入者当たりのアーラン値（erlang）等がある。）
ステップ２１０において、基地局１１１はMAX_OUTAGE_DELAYを遠隔装置１１３,１１４に送信する。上述したようにMAX_OUTAGE_DELAYは共通制御チャネルを利用して伝送される。しかしながら本発明の他の実施例にあっては、MAX_OUTAGE_DELAYを他の方法で遠隔装置１１３,１１４に送信することも可能である。特に、本発明の好適実施例にあってはMAX_OUTAGE_DELAYは、IS-９５Aのセクション７.７.７.２.１３に述べられているような拡張システム・パラメータ・メッセージの反転ビット・フィールド内で伝送される５ビット・フィールドである。ステップ２１５において、遠隔装置１１３,１１４はMAX_OUTAGE_DELAYを受信および格納する。次にステップ２２０において、遠隔装置１１３,１１４は受信要素に再同調し（ステップ２２５）、第２ネットワーク要素（基地局１０９）からの伝送内容を受信してアイドル状態に移る。その後遠隔装置１１３,１１４は、基地局１０９が通信可能であることを示す状態メッセージ（REGID メッセージ）を待つ（ステップ２３０）。ステップ２３５において、遠隔装置１１３,１１４はREGIDメッセージを受信し、遠隔装置１１３,１１４は０とMAX_OUTAGE_DELAYとの間のランダムな遅延期間（それぞれT１,T２とする）を計算する。ステップ２４０において、遠隔装置１１３,１１４は、基地局１０９への登録を試みる前に、期間T１,T２の間それぞれ待機する。
【００１６】
本発明の好適実施例にあっては、遠隔装置１１３,１１４は、各遅延期間の終了する前に通話コールの開始を登録することが可能である。言い換えれば時間遅延T１,T２の間は遠隔装置１１３,１１４が通話コールを開始することを妨げない。
【００１７】
本発明による方法は命令セット等のプログラムとしてソフトウエアで実行することも可能であり、このソフトウエアはコンピュータが読取可能な言語で記述され、コンピュータで読取可能な媒体に記憶され、１以上の遠隔的にまたは局所的に配置されたマイクロプロセッサにより各種処理技術を利用して実行することが可能なものである。たとえば、上述した手法の少なくとも一部は、メモリ１２７、プロセッサ１２９および命令セット１２５を利用してCBSC １０３内で実行することが可能である。しかしながら、本発明が使用されるコンピュータ・システムおよび／またはネットワークを他の手法で構築することも可能である。
【００１８】
以上本発明を特定の実施例に基づいて説明したが、本発明がこれに限定されることを意図しない。たとえば、セルラ動作環境への適用例に加えて、本発明は同時アクセスによりシステムが過負荷となり得る任意のシステムに適用することが可能である。また、数値についても異なるものを使用することが可能である。当業者であれば本発明の精神から逸脱することなく、様々な修正や変形を行うことが可能であろう。
【図面の簡単な説明】
【図１】  本発明の好適実施例による複数の無線通信システムを示す。
【図２】  本発明による図１の遠隔装置を登録するためのフローチャートを示す。
【図３】  本発明の好適実施例による時間遅延パラメータを導出するためのものである。
【図１】
0003902722.tif 000002
【図２】
0003902722.tif 000003
【図３】
0003902722.tif 000004